(57)【要約】【課題】フレームの空間部の背後における表示装置の領域に表示される画像と空間部の外側の背後における表示装置の領域に表示される画像とを、視覚的に互いに混ざり合うことなく表示する。【解決手段】光透過性領域を有し、当該光透過性領域に面する位置に遊技球が転動流下する遊技領域２１ａを備えた遊技盤２１と、遊技盤２１の背後に設けられた演出表示を行う表示装置２２と、周囲が内壁面によって囲まれた空間部を有し、空間部が遊技盤における遊技領域と対向して配置されるように遊技盤２１と表示装置２２との間に設けられたフレーム２５と、フレーム２５における空間部を囲う内壁面に沿うように設けられた光を反射する光反射部材２６とを備えた。【選択図】図４
2008011947.tif 000002
【特許請求の範囲】
【請求項１】
光透過性領域を有し、当該光透過性領域に面する位置に遊技球が転動流下する遊技領域を備えた遊技盤と、
前記遊技盤の背後に設けられた演出表示を行う表示装置と、
周囲が内壁面によって囲まれた空間部を有し、当該空間部が前記遊技盤における前記遊技領域と対向して配置されるように前記遊技盤と前記表示装置との間に設けられたフレームと、
前記フレームにおける前記空間部を囲う内壁面に沿うように設けられ、光を反射する光反射部材と、
を備えたことを特徴とする遊技機。
【請求項２】
前記光反射部材は、前記フレームにおける前記空間部を囲う内壁面に着脱可能に装着された、
ことを特徴とする請求項１記載の遊技機。
【請求項３】
前記光反射部材は、前記フレームにおける前記空間部を囲う内壁面の少なくとも一部に設けられている、
ことを特徴とする請求項１または２記載の遊技機。
【発明の詳細な説明】
【技術分野】
【０００１】
本発明は遊技機に関して、特に透明性を有する遊技盤を備えた遊技機に関するものである。
【背景技術】
【０００２】
従来のパチンコ機は、遊技領域を転動する遊技球が遊技盤に設けられた始動口に入ると、遊技者にとって有利な遊技である大当り遊技へ移行するか否かの大当り抽選が行われる一方、大当り抽選の結果に応じて、表示手段を用いて識別情報の変動表示／停止表示および演出表示が行われる。上記表示手段としては、キャラクタ画像を用いた画像表示を行う液晶表示装置を含む画像表示手段、あるいはＬＥＤなどの発光手段によって様々な発光パターンによる発光表示を行う発光表示手段などが用いられる。
【０００３】
画像表示手段は、遊技盤のほぼ中央に設けられ、発光表示手段は、遊技盤を前面側に取り付けた遊技機枠体における遊技盤の遊技領域の外側部分に設けられる。
【０００４】
上記画像表示手段は、遊技釘や、入賞手段、人形などの可動役物を含む遊技部材を遊技盤に設ける必要があるため、遊技盤上での大きさに制限を加えざるを得ない。このため、遊技盤において、画像表示手段における画像表示のスペースを大きく取ることが難しい。
【０００５】
そこで、特開２００４−１６００３０号公報には、透明状の遊技盤を用い、その背後に画像表示手段として、大きな液晶表示装置を配置して、遊技盤の遊技部材に影響されることなく、画像表示のスペースを大きくとる遊技機が記載されている。当該遊技機では、透明状の遊技盤と液晶表示装置との間に、遊技領域から排出される遊技球を許容する排出領域を形成するための中空状の透明状フレームを介在させている。
【特許文献１】特開２００４−１６００３０号公報
【発明の開示】
【発明が解決しようとする課題】
【０００６】
上記のような遊技機では、液晶表示装置の画像表示のスペースを大きくとることが可能であるため、当該液晶表示装置が、上記発光表示手段の発光表示を画像表示によって演出表示することで、その役目を兼務することが可能である。このように液晶表示装置が発光表示手段を兼務すると、発光表示手段が不要になって製品コストが低下し、さらに、ソフト処理を容易にすることができるという利点がある。
【０００７】
しかしながら、この場合、一つの液晶表示装置によって、中央領域で演出画像の表示を行い、その外側領域で発光表示に代わる発光画像表示を行うので、中央領域と外側領域との境目で各表示の色が混ざって各画像自体がぼやけてしまいやすくなり、演出表示内容によっては演出効果が低下する。
【０００８】
したがって、演出表示内容に応じた演出効果の低下しにくい遊技機の提供が望まれる。
【０００９】
そこで、本発明は、液晶表示装置などの表示装置に表示される複数の領域に区別された画像が、視覚的に混ざり合いにくく、より鮮明な表示が可能な遊技機を提供することを目的とする。
【課題を解決するための手段】
【００１０】
上記課題を解決するため、請求項１に記載の本発明の遊技機は、光透過性領域を有し、当該光透過性領域に面する位置に遊技球が転動流下する遊技領域を備えた遊技盤と、前記遊技盤の背後に設けられた演出表示を行う表示装置と、周囲が内壁面によって囲まれた空間部を有し、当該空間部が前記遊技盤における前記遊技領域と対向して配置されるように前記遊技盤と前記表示装置との間に設けられたフレームと、前記フレームにおける前記空間部を囲う内壁面に沿うように設けられ、光を反射する光反射部材とを備えたことを特徴とする。
【００１１】
このように、空間部を囲う内壁面に光反射部材が取り付けられたフレームが透明な遊技盤と表示装置との間に設けられている。
【００１２】
これにより、フレームの空間部を囲う内壁面に取り付けられた光反射部材によって空間部と空間部の外側とが光学的に区切られるので、空間部の背後における表示装置の領域に表示される演出表示により出射する光と、空間部の外側の背後における表示装置の領域に表示される演出表示により出射する光とが互いに混ざり合うことが低減される。
【００１３】
したがって、フレームの空間部の背後における領域に表示される演出表示と空間部の外側の背後における領域に表示される演出表示とを一つの表示装置で行う場合、各領域の境界が明瞭になって、それぞれの演出表示を視覚的に混ざり合うことなく表示することが可能になる。
【００１４】
請求項２に記載の本発明は、請求項１に記載の発明の構成に加えて、前記光反射部材は、前記フレームにおける前記空間部を囲う内壁面に着脱可能に装着されたことを特徴とする。
【００１５】
これにより、光反射部材は、フレームにおける空間部を囲う内壁面から着脱可能であるため、表示画像の内容によって、光反射部材の種類を変更したり、取り外したりすることが可能となっている。
【００１６】
すなわち、光反射強度が強い光反射部材を用いることにより、フレームの空間部の背後における領域に表示される演出表示と空間部の外側の背後における領域に表示される演出表示との境界をより明確にしたり、光反射部材を取り外すことにより、フレームの空間部の背後における領域に表示される演出表示と空間部の外側の背後における領域に表示される演出表示との一体感を出したりすることができるので、表示手段において表示する表示画像のバリエーションを増やすことができるようになっている。
【００１７】
請求項３に記載の本発明は、請求項１または２に記載の発明の構成に加えて、前記光反射部材は、前記フレームにおける前記空間部を囲う内壁面の少なくとも一部に設けられていることを特徴とする。
【００１８】
これにより、たとえば、発光表示が行われる部分にのみ光反射部材を設けることが可能となり、効果的に鮮明な表示画像を表示することが可能であるとともに、コストが削減されることに加えて、様々な表示画像による演出に対応して光の反射領域に変化をもたらすことができるという利点がある。
【発明の効果】
【００１９】
本発明によれば、フレームにおける空間部を囲う内壁面に光反射部材を設けることにより、空間部の背後における表示装置の領域に表示される演出表示により出射する光と、空間部の外側の背後における表示装置の領域に表示される演出表示により出射する光とが互いに混ざり合うことが低減されるので、各領域の境界が明瞭になって、これらの演出表示を視覚的に混ざり合うことなく表示することが可能になる。
【発明を実施するための最良の形態】
【００２０】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２１】
図１は本発明の一実施の形態である遊技機を示す斜視図、図２は図１に示した遊技機の正面を示す正面図、図３は図２に示した遊技盤の正面を示す正面図、図４は図１に示した遊技機の要部を示す分解斜視図、図５は本実施の形態に係るフレームを示す正面図、図６は本実施の形態に係るフレームと液晶表示装置との要部を示す分解斜視図、図７は本実施の形態に係る遊技盤およびフレームを介して視認される液晶表示装置に表示される画像の一例を示す説明図である。
【００２２】
図１〜図４に示すように、パチンコ遊技機（遊技機）１は、遊技店の島設備に取り付けられる外枠９と、該外枠９に支持され、遊技の実行のときに必要な所定の機構が取り付けられる本体１０と、遊技盤２１（図２および図３参照）の背後に設けられたフレーム２５と、フレーム２５の背後に設けられ、本体１０に対しこの本体１０の表面側から取り付けられる表示装置としての液晶表示装置（図４参照）２２と、この本体１０に取り付けられるガラス扉３、上皿部４、下皿部５、カバー６およびハンドル７とを備えている。
【００２３】
図１、図２および図４に示すように、ガラス扉３と上皿部４とは一体化されて形成されており、この一体化された開閉扉（開閉体）２３は、その一端が本体１０に回動可能に軸支され、他端が本体１０に係合するようになっている。ガラス扉３は、遊技盤２１を視認可能に覆うものである。
【００２４】
上皿部４はガラス扉３の下側に位置し、払い出された遊技球および遊技領域２１ａに打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２５】
上皿部４の下側に位置する下皿部５は、本体１０に固定されており、払い出しにより上皿４ａからオーバーフローした遊技球が貯留される下皿５ａを有している。
【００２６】
下皿部５の右側に設けられたハンドル７は、外レール１１ａおよび内レール１１ｂ（図３参照）を介して遊技盤２１の遊技領域２１ａへ遊技球を打ち込む際に回動操作されるものであり、遊技球の発射を停止させるストップボタン（図示せず）が設けられている。
【００２７】
ガラス扉３の上側に位置するカバー６は本体１０に固定されており、カバー６の左右の部位６ａ，６ｂは、本体１０に設けられる左右のスピーカ１１０，１２０（図４および図５参照）にそれぞれ対応して、スピーカ１１０，１２０からの音声が聞こえるような構造になっている。
【００２８】
図４に示すように、フレーム２５は、遊技盤２１と液晶表示装置２２との間に設けられており、遊技球の直径以上の厚さを有する板状のものである。また、図５に示すように、フレーム２５は、透明な板状部２５ｂと、この板状部２５ｂ内に形成され、各入賞口に入った遊技球を受け入れることが可能な空間部２５ａとからなる。そして、板状部２５ｂ内に空間部２５ａが位置することにより、板状部２５ｂの空間部２５ａ側には内壁面２５ｃが形成される。したがって、空間部２５ａとは内壁面２５ｃに囲まれた領域である。そして、内壁面２５ｃには光反射部材２６が設けられている。なお、光反射部材２６についての詳細は後述する。
【００２９】
また、空間部２５ａの形状は、略円形状となっている。そして、空間部２５ａの下部は、空間部２５ａに受け入れられた遊技球を排出するために、外方に開放した形状となっている。なお、空間部２５ａの形状は特に限定されるものではなく、例えば、矩形状であってもよい。また、空間部２５ａは、一部が外方に開放された形状でなく、周囲が閉ざされた形状であってもよい。
【００３０】
遊技盤２１は、図３に示すように、外レール１１ａおよび内レール１１ｂに包囲され、遊技球の流下が可能な遊技領域２１ａを備えている。そして、その遊技領域２１ａには、多数の遊技くぎや風車などの障害物（図示せず）、一般入賞口１２、通過ゲート１３、可変入賞装置である大入賞口１５、アウト口１６、始動入賞口
１４，１７を有する電動役物構成部材１８からなる遊技部材が配置されている。
【００３１】
また、遊技盤２１は、透明部材（透光性部材）で形成されて、液晶表示装置２２が遊技盤２１を通して視認可能になっており、本体１０に対して表面側から取り付けられてる。
【００３２】
液晶表示装置２２は、図４に示すように、フレーム２５と本体１０の表面側との間に設けられており、画像を表示可能な表示領域２２ａを備えている。そして、上記のように遊技盤２１は光透過性領域を有しているので、液晶表示装置２２に表示される演出画像は、遊技盤２１およびフレーム２５を介して視認可能になっている。なお、液晶表示装置２２に代替して、例えばプラズマディスプレイ等の表示手段を用いることもできる。
【００３３】
ここで、フレーム２５は上述のように空間部２５ａと板状部２５ｂとから構成されているため、液晶表示装置２２の表示領域２２ａは、空間部２５ａを介して視認される第１の表示領域２２−１と、板状部２５ｂを介して視認される第２の表示領域２２−２に区別される（図６参照）。
【００３４】
そして、液晶表示装置２２の表示領域２２ａは、第１の表示領域２２−１において、演出画像（例えば、遊技状態に対応したアニメーションやその他の報知情報など）の表示が行われ、一方、第２の表示領域２２−２においては、ランプやＬＥＤなどを模した発光演出が行われるようになっている。
【００３５】
したがって、図７に示すように、第１の表示領域２２−１に対応する視認領域Ａでは演出画像が表示され、第２の表示領域２２−２に対応する視認領域Ｂでは、発光演出が行われる。
【００３６】
これにより、ランプやＬＥＤなどのような発光表示手段が不要になって製品コストを低減させることができる。
【００３７】
また、液晶表示装置２２の表示領域２２ａに表示される画像は、本体１０に設けられた制御回路（図示せず）に実装されたＣＰＵによって制御される。すなわち、第１の表示領域２２−１に表示される画像と第２の表示領域２２−２に表示される画像は、同一のＣＰＵによって表示の制御が行われる。したがって、それぞれの画像ごとに回路を設ける必要がなくコストを削減することができ、また、ソフト処理面の負荷を軽減することが可能になる。
【００３８】
上述のように、フレーム２５の空間部２５ａを囲む内壁面２５ｃには光反射部材２６が設けられている。光反射部材２６は、内壁面２５ｃの形状に対応したリング状の形態をなしており、塗布、吹き付け、蒸着、浸漬、貼着などにより光を反射する反射材が表面にコーティングされた樹脂材によって形成されている。なお、表面をコーティングする材料は樹脂材でなく、他の材料でもよい。また、光反射部材２６は反射材が表面コートされた樹脂材に限られず、ステンレスなどの金属材のように表面が光を反射する材質を用いることが可能である。
【００３９】
そして、光反射部材２６は、当該光反射部材２６の内側（すなわち空間部２５ａ）から射出される光と、光反射部材２６の外側（すなわち板状部２５ｂ）から射出される光とを反射する。これにより、フレーム２５の空間部２５ａを介して視認される液晶表示装置２２の表示領域２２ａにおける第１の表示領域２２−１に表示される画像と、板状部２５ｂを介して視認される第２の表示領域２２−２に表示される画像とは光学的に区切られる。
【００４０】
すなわち、第１の表示領域２２−１に表示される画像から出射した光は、光反射部材２６に反射され、第２の表示領域２２−２に表示される画像に侵入することはなくなる。一方、第２の表示領域２２−２に表示される画像から出射した光は、光反射部材２６に反射され、第１の表示領域２２−１に表示される画像に侵入することはなくなる。そのため、第１の表示領域２２−１に表示される画像と第２の表示領域２２−２に表示される画像とが視覚的に混ざり合うことなく視認されることになる。
【００４１】
また、空間部２５ａを囲む内壁面２５ｃに光反射部材２６が設けられているため、空間部２５ａに排出された遊技球が内壁面２５ｃに衝突をしても、光反射部材２６によりフレーム２５は衝撃から防護され、フレーム２５に傷が付くことを防止したり衝突音を軽減したりすることができる。
【００４２】
さらに、図６に示すように、フレーム２５の内壁面２５ｃには溝部２５ｅが周方向に沿って形成され、光反射部材２６の外周面には溝部２５ｅに対応する形状を有する凸状部２６ａが形成されている。そして、溝部２５ｅに凸状部２６ａを嵌め込むことにより、フレーム２５の内壁面２５ｃに光反射部材２６が取り付けられるようになっている。これにより、当該光反射部材２６は、内壁面２５ｃから着脱が可能になっているとともに、振動などによる光反射部材２６の内壁面２５ｃからのズレを防止することができるようになっている。。
【００４３】
そして、光反射部材２６が内壁面２５ｃから着脱可能になっているので、表示画像の内容によって、光反射部材２６の種類を変更したり、取り外したりすることができる。
【００４４】
すなわち、光反射強度が強い光反射部材２６を用いることにより、第１の表示領域２２−１に表示される画像と第２の表示領域２２−２に表示される画像との境界をより明確にしたり、光反射部材２６を取り外すことにより、第１の表示領域２２−１に表示される画像と第２の表示領域２２−２に表示される画像との一体感を出したりすることができるので、液晶表示装置２２において表示する画像のバリエーションを増やすことができるようになっている。
【００４５】
なお、本実施の形態において、光反射部材２６は、フレーム２５の内壁面２５ｃのほぼ全面を覆う形状となっているが、これに限らず、例えば、内壁面２５ｃの一部のみを覆うような形状であってもよいし、そのような複数の光反射部材２６が内壁面２５ｃに装着されてもよい。
【００４６】
これにより、たとえば、第２の表示領域２２−２のうち発光表示が行われる部分に対応する箇所にのみ光反射部材２６を設けることが可能となるので、効果的に鮮明な表示画像を表示することができるとともに、コストが削減されることに加えて、様々な表示画像による演出に対応して光の反射領域に変化をもたらすことができるという利点がある。
【００４７】
なお、本実施の形態においては、フレーム２５の内壁面２５ｃには、光反射部材２６が設けられているが、これに限らず、当該内壁面２５ｃに光が進入しない部材を用いた遮蔽部材等を設けてもよい。
【００４８】
また、光反射部材２６は、光反射部材２６の全て（表面側と裏面側とを含む）が、光を反射するようになっているが、これに限らず、光反射部材２６の一部のみ(例えば表面側のみ）が光を反射させるようにし、その他の部分(例えば裏面側）が光を遮断するようにしてもよい。
【産業上の利用可能性】
【００４９】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種ゲーム機など、種々の遊技機に適用することが可能である。
【図面の簡単な説明】
【００５０】
【図１】本発明の一実施の形態である遊技機を示す斜視図である。
【図２】図１に示した遊技機の正面を示す正面図である。
【図３】図２に示した遊技盤の正面を示す正面図である。
【図４】図１に示した遊技機の要部を示す分解斜視図である。
【図５】本実施の形態に係るフレームを示す正面図である。
【図６】本実施の形態に係るフレームと液晶表示装置との要部を示す分解斜視図である。
【図７】本実施の形態に係る遊技盤およびフレームを介して視認される液晶表示装置に表示される画像の一例を示す説明図である。
【符号の説明】
【００５１】
１  パチンコ遊技機
３  ガラス扉
４  上皿部
４ａ  上皿
５  下皿部
５ａ  下皿
６  カバー
６ａ，６ｂ  部位
７  ハンドル
８  シャッタレバー
９  外枠
１０  本体
１１ａ  外レール
１１ｂ  内レール
１２  一般入賞口
１３  通過ゲート
１４  始動入賞口
１５  大入賞口
１６  アウト口
１８  電動役物構成部材
２１  遊技盤
２１ａ  遊技領域
２２  液晶表示装置
２２ａ  表示領域
２２−１  第１の表示領域
２２−２  第２の表示領域
２５  フレーム
２５ａ  空間部
２５ｂ  板状部
２５ｃ  内壁面
２５ｅ  溝部
２６  光反射部材
２６ａ  凸状部
１１０，１２０  スピーカ
Ａ  第１の表示領域２２−１に対応する視認領域
Ｂ  第２の表示領域２２−２に対応する視認領域
【図１】
2008011947.tif 000003
【図２】
2008011947.tif 000004
【図３】
2008011947.tif 000005
【図４】
2008011947.tif 000006
【図５】
2008011947.tif 000007
【図６】
2008011947.tif 000008
【図７】
2008011947.tif 000009